(57)【特許請求の範囲】
【請求項１】
支持体には相互に平行な左右一対の支持杆を各支持杆の上端が下端よりも後方に位置するように所定の角度で傾斜させた状態で固定し、該支持杆の上端附近に上側支承杆と下側支承杆とを設けることにより一対の支持杆と上側支承杆と下側支承杆とにより挿通スペースを形成し、下側支承杆の下方における支持杆間には複数の水平杆を所定の間隔を置いて取り付け、該挿通スペースには可動支持部材を該可動支持部材の上端が上側支承杆よりも上方に位置するように上下動自在に挿通し、該可動支持部材の前面には新聞を支持するに足る大きさの書物支持手段を取り付けると共に該可動支持部材の背面には係止板を固定し、該係止板の下面には前記水平杆に対応する係止手段を前後に複数個配設し、各係止手段は前記水平杆と平行に形成された突条であり、所望の係止手段を所望の水平杆に係止することにより可動支持部材を所望の高さに、かつ、所望の傾斜角度でロックすることができるようにしたことを特徴とする読書スタンド。
【請求項２】
前記書物支持手段は可動支持部材の前面に上側支持板と下側支持板とを相対向させた状態で固定し、該上側支持板と下側支持板との間には書物の背面を支える書物支持体を取り付けると共に書物を該書物支持体に押圧する書物押え棒を取りつけてなるものであることを特徴とする請求項１の読書スタンド。
【請求項３】
前記上側支持板には該上側支持板を貫通する貫通孔を前後に複数個形成し、前記下側支持板には各貫通孔に対応する係止孔を前後に複数個形成し、書物の厚みに応じて書物押え棒を前後いずれかの貫通孔と係止孔とに挿入するようにしたことを特徴とする請求項２の読書スタンド。
【請求項４】
前記書物押え棒には滑り止め部材を該書物押え棒の長さ方向に位置調節自在に取り付けたことを特徴とする請求項２又は３の読書スタンド。
【発明の詳細な説明】
【０００１】
【発明の属する技術分野】
本発明は読書スタンドに関するものであり、更に詳しくは、書物を所望の高さと傾斜角度に保持するようにした読書スタンドに係るものである。特許請求の範囲を含む本明細書における「書物」には、書籍のみならず新聞も含まれるものとする。即ち、特許請求の範囲を含む本明細書における「書物」には小型の文庫本から大型の新聞までが含まれる。
【０００２】
【従来の技術】
読書スタンドとしては小型の書籍を角度調節自在に支持するようにした書見台が既に知られている。
【０００３】
【発明が解決しようとする課題】
上記従来の書見台は専ら小型の書籍を支持するようにしたものであり、大型の新聞には使用し得ないものである。また、上記従来の書見台は書物を高さ調節自在に支持することはできないという問題もある。
このような状況に鑑み、本発明は、小型の文庫本から大型の新聞までを含む書物を高さ調節自在且つ角度調節自在に保持するようにした読書スタンドを提供しようとしてなされたものである。
【０００４】
【課題を解決するための手段】
上記課題を解決するために、本発明は下記の読書スタンドを提供する。
【０００５】
（１） 支持体には相互に平行な左右一対の支持杆を各支持杆の上端が下端よりも後方に位置するように所定の角度で傾斜させた状態で固定し、該支持杆の上端附近に上側支承杆と下側支承杆とを設けることにより一対の支持杆と上側支承杆と下側支承杆とにより挿通スペースを形成し、下側支承杆の下方における支持杆間には複数の水平杆を所定の間隔を置いて取り付け、該挿通スペースには可動支持部材を該可動支持部材の上端が上側支承杆よりも上方に位置するように上下動自在に挿通し、該可動支持部材の前面には新聞を支持するに足る大きさの書物支持手段を取り付けると共に該可動支持部材の背面には係止板を固定し、該係止板の下面には前記水平杆に対応する係止手段を前後に複数個配設し、各係止手段は前記水平杆と平行に形成された突条であり、所望の係止手段を所望の水平杆に係止することにより可動支持部材を所望の高さに、かつ、所望の傾斜角度でロックすることができるようにしたことを特徴とする読書スタンド（請求項１）。
【０００６】
（２）前記書物支持手段は可動支持部材の前面に上側支持板と下側支持板とを相対向させた状態で固定し、該上側支持板と下側支持板との間には書物の背面を支える書物支持体を取り付けると共に書物を該書物支持体に押圧する書物押え棒を取りつけてなるものである（請求項２）。
【０００７】
（３）前記上側支持板には該上側支持板を貫通する貫通孔を前後に複数個形成し、前記下側支持板には各貫通孔に対応する係止孔を前後に複数個形成し、書物の厚みに応じて書物押え棒を前後いずれかの貫通孔と係止孔とに挿入するようになす（請求項３）。
【０００８】
（４）前記書物押え棒には滑り止め部材を該書物押え棒の長さ方向に位置調節自在に取り付ける（請求項４）。
【０００９】
特許請求の範囲を含む本明細書において「前」とは読書スタンドにおける使用者側の方向（図３における右方向）をいい、「後」とはその反対方向（図３における左方向）をいうものとする。また、「背面」とは後の面をいうものとする。
【００１０】
【作用】
［請求項１の読書スタンド］
請求項１の読書スタンドを使用する際には、左右一対の支持杆と上側支承杆と下側支承杆とにより形成される挿通スペースに挿通させた可動支持部材を上方又は下方に動かし、可動支持部材の背面に取り付けられた係止板におけるいずれかの係止手段を所望の水平杆に係止することにより、可動支持部材を所望の高さに所望の傾斜角度でロックする。各係止手段は水平杆と平行に形成された突条であり、いずれかの突条を選択し、これを水平杆に係止させるのである。即ち、可動支持部材は単に挿通スペースに上下動自在に挿通されているに過ぎないため、可動支持部材を上方又は下方に動かし、可動支持部材の係止手段を所望の水平杆に係止することにより可動支持部材を任意の高さに設定することができる。また、係止板の下面に前後に複数個配設されている係止手段を選択することにより支持杆に対する可動支持部材の角度、即ち可動支持部材の傾斜角度、を選択することができる。このように可動支持部材を所望の高さに所望の傾斜角度でロックした後、書物を可動支持部材前面の書物支持手段に支持させるのである。また、書物を可動支持部材前面の書物支持手段に支持させた後に、可動支持部材の高さと傾斜角度を上述と同様の手法により変更することも可能である。可動支持部材の背面は常時下側支承杆に接触している。更に、可動支持部材は該可動支持部材の上端が上側支承杆よりも上方に位置するように挿通スペースに挿通されているため、該上側支承杆は可動支持部材が前方に倒れることを防止している。書物支持手段は新聞を支持するに足る大きさを備えているため、該書物支持手段には小型の文庫本から新聞までの種々の書物を支持させることができる。
【００１１】
［請求項２の読書スタンド］
請求項２の読書スタンドにおいて書物を書物支持手段に支持させる際には、書物の下端を下側支持板の上面に接触させ、書物の背面を書物支持体の前面に接触させ、書物の前面を書物押え棒により押圧させる。なお、新聞等の大型且つ薄い書物の場合には、書物の下端は必ずしも下側支持板の上面に接触させる必要はない。
【００１２】
［請求項３の読書スタンド］
請求項３の読書スタンドにおいては、前側の貫通孔と係止孔とに書物押え棒を挿入したときには、書物押え棒と書物支持体との間隔が大きくなり、後側の貫通孔と係止孔とに書物押え棒を挿入したときには、書物押え棒と書物支持体との間隔が小さくなる。従って、厚い書物の場合には前側の貫通孔と係止孔とに書物押え棒を挿入し、薄い書物の場合には後側の貫通孔と係止孔とに書物押え棒を挿入する。
【００１３】
［請求項４の読書スタンド］
請求項４の読書スタンドにおいては、書物押え棒に取り付けられた滑り止め部材が書物を確実に固定する。該滑り止め部材は書物の上下方向の大きさに応じて該書物押え棒の長さ方向に位置を調節する。
【００１４】
【発明の実施の形態】
次に、本発明の実施の形態を添付図面に従って説明する。
符号１に示すものは支持体である。図１〜図３に示す事例における支持体１は基台３上に支持柱５を立設してなるものである。図８〜図９に示す事例における支持体１は枠状体である。
【００１５】
支持体１には相互に平行な左右一対の支持杆７、７を各支持杆７の上端７ａが下端７ｂよりも後方に位置するように所定の角度で傾斜させた状態で固定する。支持杆７、７は一例として７０〜８０度程度の傾斜角度を有する。
【００１６】
支持杆７の上端７ａ附近に上側支承杆９と下側支承杆１１とを設けることにより一対の支持杆７、７と上側支承杆９と下側支承杆１１とにより挿通スペース１３を形成する。下側支承杆１１の下方における支持杆７、７間には複数の水平杆１５、１５・・・を所定の間隔を置いて取り付ける。
【００１７】
挿通スペース１３には可動支持部材１７を該可動支持部材１７の上端１７ａが上側支承杆９よりも上方に位置するように上下動自在に挿通する。図示の事例における可動支持部材１７は左右一対の平行な部材１９、１９により形成されている。図４参照。
【００１８】
可動支持部材１７の前面には書物支持手段２１を取り付けると共に該可動支持部材１７の背面には係止板２３を固定し、該係止板２３の下面には前記水平杆１５、１５…に対応する係止手段２５、２５…を前後に複数個配設し、所望の係止手段２５を所望の水平杆１５に係止することにより可動支持部材１７を所望の高さに所望の傾斜角度でロックすることができるようになす。
【００１９】
図示の事例における各係止手段２５は水平杆１５と平行に形成された突条である。
【００２０】
書物支持手段２１は、一例として、可動支持部材１７の前面に上側支持板２７と下側支持板２９とを相対向させた状態で固定し、該上側支持板２７と下側支持板２９との間には書物３１の背面を支える書物支持体３３を取り付けると共に書物３１を該書物支持体３３に押圧する書物押え棒３５を取りつけてなるものである。符号３４に示すものは上側支持板２７と下側支持板２９とに備えさせた書物支持体３３の保持片である。書物支持体３３は図６に示す如き枠状体であってもよいが、図８、図１０に示すように上側支持板２７と下側支持板２９との間に多数本の棒状体３７、３７…を取り付けてなるものであってもよい。なお、書物支持体３３が板状体であってもよいことはいうまでもない。
【００２１】
上側支持板２７には該上側支持板２７を貫通する貫通孔３９を前後に複数個形成し、下側支持板２９には各貫通孔３９に対応する係止孔４１を前後に複数個形成し、書物３１の厚みに応じて書物押え棒３５を前後いずれかの貫通孔３９と係止孔４１とに挿入するようになす。図示の事例においては、貫通孔３９と係止孔４１はそれぞれ上側支持板２７と下側支持板２９とに前後に３個ずつ多数列配設されている。なお、符号３８に示すものは新聞等の大型の書物を押さえるための大型書物用押え棒であり、符号４０に示すものは該大型書物用押え棒３８の挿入孔である。
【００２２】
書物押え棒３５には滑り止め部材４３を該書物押え棒３５の長さ方向に位置調節自在に取り付ける。滑り止め部材４３は一例としてゴム片とする。
【００２３】
【発明の効果】
［請求項１の読書スタンド］
請求項１の読書スタンドにおいては、左右一対の支持杆と上側支承杆と下側支承杆とにより形成される挿通スペースに挿通させた可動支持部材を上方又は下方に動かし、可動支持部材の背面に取り付けられた係止板におけるいずれかの係止手段を所望の水平杆に係止することにより、可動支持部材を所望の高さに所望の傾斜角度でロックすることができる。各係止手段は水平杆と平行に形成された突条であり、水平杆に確実に係止する。しかして、書物支持手段は可動支持部材の前面に取り付けられているため、書物支持手段に支持された書物を所望の高さにて所望の傾斜角度で読むことができるのである。書物支持手段は新聞を支持するに足る大きさを備えているため、該書物支持手段には小型の文庫本から新聞までの種々の書物を支持させることができる。即ち、請求項１の読書スタンドによれば、小型の文庫本から新聞までの種々の書物を楽に且つ能率良く読むことができる。
【００２４】
［請求項２の読書スタンド］
請求項２の読書スタンドにおいては、書物を書物支持手段に支持させる際には、書物の下端を下側支持板の上面に接触させ、書物の背面を書物支持体の前面に接触させ、書物の前面を書物押え棒により押圧させるようにしたため、エアコンや扇風機の風が当たる場所でも書物の頁が風によりめくれ上がることはない。
【００２５】
［請求項３の読書スタンド］
請求項３の読書スタンドにおいては、書物の厚みに応じて書物押え棒を前後いずれかの貫通孔と係止孔とに挿入するようにしたため、書物の厚みの如何にかかわらず書物押え棒により書物を確実に押さえることができる。
【００２６】
［請求項４の読書スタンド］
請求項４の読書スタンドにおいては、書物押え棒に取り付けられた滑り止め部材が書物を確実に固定する。該滑り止め部材は書物の上下方向の大きさに応じて該書物押え棒の長さ方向に位置を調節することができる。
【図面の簡単な説明】
【図１】本発明による読書スタンドの一例を示す斜視図である。
【図２】支持体と支持杆の一例を示す斜視図である。
【図３】同上読書スタンドの断面図である。
【図４】可動支持部材等を示す斜視図である。
【図５】固定杆を示す斜視図である。
【図６】書物支持体を示す斜視図である。
【図７】  書物押え棒を示す斜視図である。
【図８】  本発明による読書スタンドの別の一例を示す斜視図である。
【図９】支持体と支持杆の別の一例を示す斜視図である。
【図１０】可動支持部材と書物支持体とを示す斜視図である。
【符号の説明】
１  支持体
３  基台
５  支持柱
７  支持杆
７ａ  上端
７ｂ  下端
９  上側支承杆
１１  下側支承杆
１３  挿通スペース
１５  水平杆
１７  可動支持部材
１７ａ  上端
１９  部材
２１  書物支持手段
２３  係止板
２５  係止手段
２７  上側支持板
２９  下側支持板
３１  書物
３３  書物支持体
３５  書物押え棒
３７  棒状体
３８  大型書物用押え棒
３９  貫通孔
４０  挿入孔
４１  係止孔
４３  滑り止め部材
【図１】
0004043007.tif 000002
【図２】
0004043007.tif 000003
【図３】
0004043007.tif 000004
【図４】
0004043007.tif 000005
【図５】
0004043007.tif 000006
【図６】
0004043007.tif 000007
【図７】
0004043007.tif 000008
【図８】
0004043007.tif 000009
【図９】
0004043007.tif 000010
【図１０】
0004043007.tif 000011